(57)【特許請求の範囲】
【請求項１】
吐水ヘッドに装着した吐水部材に、湯水の流速を高め扇形状の水膜を形成する洗浄用吐水部を設け、該洗浄用吐水部は、通路の周面に下方へ広がる湾曲部を備えたノズル部材と、該ノズル部材が上部から嵌合され、下部に穿設したスリット状の長孔と該長孔に向かうにつれて通路を絞る傾斜孔を形成した水室とからなり、前記長孔から、扇形状の水膜を吐水可能としたことを特徴とするキッチン用吐水ヘッド。
【請求項２】
前記傾斜孔の下方には、半円盤形に形成された整流部材を一対並設し、前記長孔から吐水される湯水は両整流部材の間の通路を通過させることで、各領域で均一に整流可能としたことを特徴とする請求項１記載のキッチン用吐水ヘッド。
【請求項３】
前記吐水部材の洗浄用吐水部は、湾曲部の形状の異なるノズル部材を取り替え可能とすることで、長孔からの吐水形態を変更可能としたことを特徴とする請求項１又は請求項２記載のキッチン用吐水ヘッド。
【請求項４】
前記吐水部材は、つまみの操作で回転自在にしたことを特徴とする請求項１乃至請求項３の何れかに記載のキッチン用吐水ヘッド。
【発明の詳細な説明】
【０００１】
【発明の属する技術分野】
本発明は、キッチンで使用される吐水ヘッドに関するものである。
【０００２】
【従来の技術】
従来、キッチンで使用され食器等の洗浄を短時間で行うことのできる水栓として公知のものに、特開平１１−２１９５６号公報の図１（ａ），（ｂ），（ｃ）（本願図面の図１３乃至図１５）のものがある。この図１３乃至図１５について簡単に説明すると、水栓は通水路４２の先端に吐水管４１の一次圧よりも二次圧を高めて、高速・高圧の霧状の噴流とする吐水ノズル４４を設けたキャップ４３が取り付けられ、吐水ノズル４４は先端に半球状の水室４５を有し、水室４５の中央に通水面積を小さく絞った細長スリット状の切込み４６を開設したものであり、吐水ノズル４４の上流側には水流の乱れを防止するため、整流網４７と整流板４８が内蔵されている。従って、吐水管４１から吐水される水は高速・高圧で且つ霧状の略扇形となり噴射範囲の広い吐水を得られるものである。
【０００３】
上記のものにあっては、吐水ノズルから略扇形に吐水される水は微細な霧状となるので乱流が発生し、周囲に飛び散った状態で吐水される恐れがある。従って、食器類に衝突する際は水勢が弱く、汚れを素早く洗い落とすことができないものである。そこで乱流を防止するためには整流網と整流板を別に取り付ける必要があり、部品点数及び組立工数が増加し、コストアップの要因となっていた。
【０００４】
【発明が解決しようとする課題】
本発明が解決しようとする課題は、キッチンで食器類の洗浄を素早く行うことができ、水の飛び跳ねを防止する吐水ヘッドを安価に提供することである。
【０００５】
【課題を解決するための手段】
本発明は請求項１のキッチン用吐水ヘッドは、吐水ヘッドに装着した吐水部材に、湯水の流速を高め扇形状の水膜を形成する洗浄用吐水部を設け、該洗浄用吐水部は、通路の周面に下方へ広がる湾曲部を備えたノズル部材と、該ノズル部材が上部から嵌合され、下部に穿設したスリット状の長孔と該長孔に向かうにつれて通路を絞る傾斜孔を形成した水室とからなり、前記長孔から、扇形状の水膜を吐水可能としたものである。
【０００６】
請求項２のキッチン用吐水ヘッドは、前記傾斜孔の下方には、半円盤形に形成された整流部材を一対並設し、前記長孔から吐水される湯水は両整流部材の間の通路を通過させることで、各領域で均一に整流可能としたものである。
【０００７】
請求項３のキッチン用吐水ヘッドは、前記吐水部材の洗浄用吐水部は、湾曲部の形状の異なるノズル部材を取り替え可能とすることで、長孔からの吐水形態を変更可能としたものである。
【０００８】
請求項４のキッチン用吐水ヘッドは、前記吐水部材は、つまみの操作で回転自在にしたものである。
【０００９】
【発明の実施の形態】
以下、本発明の実施の形態を図に基づいて詳細に説明する。
この発明は図３に示すように、流し台の天板Ｂに取り付けられる混合水栓Ａは、上部に湯水の吐水量及び温度を調節するレバーハンドル１が取り付けられ、胴体部２にはホルダー３が上傾して回転可能に設けられており、該ホルダー３の先端に吐水ヘッド４を引出し自在に支持している。なお、吐水ヘッド４は混合水栓と別体にしてもよい。
【００１０】
前記吐水ヘッド４は図１及び図２に示すように、スイッチ５の操作で湯水の吐水，止水の切り替えが可能であり、流路６の先端には切替室７を形成している。該切替室７の下部には、円周上の溝１０に水漏れ防止用のシールパッキン８を嵌合した円板状の仕切板９が装着されている。この仕切板９の中央上部には円形で同一形状の第１弁孔１１及び第２弁孔１１ａが、間隔をおいて開設されている。また、仕切板９の中央から下部に突出し、前記第１弁孔１１と連通する円筒部１２の内部には、湯水を整流化して吐水するための整流器１３を介在させている。
【００１１】
シーソー式のボタン１４，１４ａは図４に示すように、前記吐水ヘッド４の正面中央から離れた左右両端に形成した一対の開口部１５，１５ａに一部が外部に露出するようにそれぞれ介在させ、両ボタン１４，１４ａと連繋する前記切替室７に介在させた保持部材１６の開口孔１７にはスプリング１８の弾性力により下部に押圧される弁体１９を支持し、該弁体１９は前記第１弁孔１１又は第２弁孔１１ａの上部周縁に圧着している。そしていずれかのボタン１４，１４ａの吐水ヘッド４から突出している方を押せば、前記各弁孔１１，１１ａよりも外径の大きい弁体１９が回転方向へ移動し、弁孔１１，１１ａのいずれか一方を閉塞し、他の一方を開放するように連繋している。
【００１２】
カバー２２は図１及び図２に示すように上下を開口した略円筒形で、上部内周に形成した雌ねじ部２３を吐水ヘッド４の下部外周に形成した雄ねじ部２０にパッキン２１を挟んで螺着することで装着され、前記仕切板９との間に略円盤形の吐水部材２４を介在させ、該吐水部材２４は下方に突出した円筒状のつまみ２５を回転方向へ操作すればカバー２２と仕切板９の間で回転可能であり、中央部分に前記仕切板９の第１弁孔１１と連通する直流孔２６を形成し、該直流孔２６と前記仕切板９の円筒部１２の間で、前記整流器１３の下部に複数枚の製流用の網２７を重ね合わせて保持している。
【００１３】
前記吐水部材２４の直流孔２６周囲の一部には、流し台で食器等の汚れを素早く洗い落とすことができるように、流速を高め扇形状の水膜を形成できるようにした洗浄用吐水部２８を設けている。該洗浄用吐水部２８は、吐水部材２４の水室２９にノズル部材３０を上部から一体に嵌合することで形成される。
【００１４】
前記ノズル部材３０は図５乃至図７に示すように、縦軸中心部に湯水が通過する通路３１が上下に貫通して設けられ、該通路３１の下部周面の内壁には、湯水が広がり方向に湾曲して外部へ扇形状に吐水されるための下方へ広がる湾曲部３２を形成している。この湾曲部３２は形状を変更することで、後述する吐水ヘッド４の長孔３５から吐水される湯水の吐水形状及び吐水範囲を変更可能であり、例えば図８のノズル部材３０ａは図７の吐水部材３０と比較して湾曲部３２ａの湾曲角度を大きく形成しているため、図７と比較して吐水範囲を広くすることができる。そして、湾曲部の形状の異なるノズル部材を数種類用意しておき、吐水部材２４の水室２９にいずれかのノズル部材を選択して嵌合することで、使用状況に応じて最適の吐水形態のものに変更することができる。
【００１５】
吐水部材２６の水室２９は図１，図９及び図１０に示すように、下方の後述する長孔３５に向かうようにガイドされて湯水の通路面積が横長に絞られるように傾斜孔３３が形成されており、該傾斜孔３３を形成したことで、スリット状の長孔３５から吐水される湯水は傾斜孔３３に沿って下降し流速を高めながら横長の水膜を形成することができる。
【００１６】
前記傾斜孔３３の下方には図４及び図１１に示すように、中央部分の寸法を上下に長くし両端を低くした半円盤状に形成され、下方に突出している一対の整流部材３４，３４ａを併設し、両整流部材３４，３４ａの間に前記傾斜孔３３を通過した湯水を外部へ吐水するスリット状の長孔３５が穿設されている。
【００１７】
このようにノズル部材３０を通過した湯水はスリット状の長孔３５から整流部材３４，３４ａの両内壁に沿って狭い空間を通過することで整流され、しかもノズル部材３０の中央から垂直方向に吐水される湯水は、両端から湾曲部３２に沿って吐水される湯水に比較して流量が多いので周囲へ飛散しやすいが、整流部材３４，３４ａは中央部分ほど上下の寸法を長くした半円盤形であり、中央部分は両端よりも長い距離を内壁に沿って通過させることが可能で、長孔３５から吐水される湯水を両端から中央部分までのどの領域でも均一に整流を可能にし、しかも高圧で扇形状の水膜が吐水されるので、吐水範囲が広くしかも均一の密度であり、食器類の洗浄を素早く行うことができる。
【００１８】
以上の吐水ヘッド４を使用するには、図３に示す混合水栓Ａのレバーハンドル１を吐水方向へ操作しスイッチ５を吐水位置にすると、図１では弁体１９が第１弁孔１１を閉塞し、第２弁孔１１ａにより切替室７と洗浄用吐水部２８は連通しているので、切替室７の湯水はノズル部材３０を通過することで流路を絞られ流速を高めながら横長の扇形状の水膜が形成され、しかも整流部材３４，３４ａにより整流されながらスリット状の長孔３５から吐水され、この湯水は扇形状の水膜で均一の密度となり流速が早いので、食器や野菜の全面の広い範囲を素早く洗浄することができる。
【００１９】
なおこの時図１１に示すように、長孔３５は縦長の吐水ヘッド４に対して横方向へ穿設されているので、横方向へ扇形状に広がって吐水されるが、図１２に示すように吐水部材２４のつまみ２５を回転させれば長孔３５からの吐水方向を縦軸方向に変えることができ、使用者は混合水栓Ａのホルダー３を回転させたりホルダー３から吐水ヘッド４を引き出さなくても長孔３５の方向を自由に変えることができる。
【００２０】
次にボタン１４ａを操作すると、弁体１９の移動により第２弁孔１１ａを閉塞し、切替室７は第１弁孔１１により直流孔２６と連通するので、湯水は網２７を通過して直流状態で勢いよく吐水され、この直流水はコップ又はその他大きな容器に短時間で湯水を入れる場合に適している。
【００２１】
【発明の効果】
本発明のキッチン用吐水ヘッドは、吐水ヘッドに装着した吐水部材に、湯水の流速を高め扇形状の水膜を形成する洗浄用吐水部を設け、該洗浄用吐水部は、通路の周面に下方へ広がる湾曲部を備えたノズル部材と、該ノズル部材が上部から嵌合され、下部に穿設したスリット状の長孔と該長孔に向かうにつれて通路を絞る傾斜孔を形成した水室とからなり、前記長孔から、扇形状の水膜を吐水可能としたので、流速の高い扇形状の水膜が広範囲でしかも均一の密度で吐水され、食器や野菜等の洗浄を素早く効率的に行うことができる。しかも、従来例と比較して整流網と整流板を取り付けなくても飛散のない整流された湯水を吐水できる吐水ヘッドを提供でき、安価に製作可能である。
【００２２】
さらに前記傾斜孔の下方には、半円盤形に形成された整流部材を一対並設し、前記長孔から吐水される湯水は両整流部材の間の通路を通過させることで、各領域で均一に整流可能としたので、湯水の飛散量が少なくキッチンでの作業性が著しく向上する。
【００２３】
また、吐水部材の洗浄用吐水部は、湾曲部の形状の異なるノズル部材を取り替え可能とすることで、長孔からの吐水形態を変更可能としたので、作業条件に応じてノズル部材を取り替えて使用することができる。
【００２４】
また、吐水部材はつまみの操作で回転自在にしたので、長孔からの吐水方向を変更可能であり使い勝手が大幅に向上する。
【図面の簡単な説明】
【図１】  吐水ヘッドの側断面図である。
【図２】  吐水ヘッドの分解説明図である。
【図３】  吐水ヘッドを備えた混合水栓の側面図である。
【図４】  吐水ヘッドの正面図である。
【図５】  ノズル部材の平面図である。
【図６】  ノズル部材の底面図である。
【図７】  ノズル部材の図５に於けるＸ−Ｘ線の縦断面図である。
【図８】  ノズル部材の別の実施例の縦断面図である。
【図９】  吐水部材の平面図である。
【図１０】  洗浄用吐水部の斜視図である。
【図１１】  吐水ヘッドの底面図である。
【図１２】  図１１の吐水ヘッドに於いて、吐水部材を回転させた状態の説明図である。
【図１３】  従来技術の説明図である。
【図１４】  図１３の拡大底面図である。
【図１５】  図１４のＹ−Ｙ線拡大断面図である。
【符号の説明】
４                吐水ヘッド
２４              吐水部材
２５              つまみ
２８              洗浄用吐水部
２９              水室
３０，３０ａ      ノズル部材
３１              通路
３２，３２ａ      湾曲部
３３              傾斜孔
３４，３４ａ      整流部材
３５              長孔
【図１】
0003894684.tif 000002
【図２】
0003894684.tif 000003
【図３】
0003894684.tif 000004
【図４】
0003894684.tif 000005
【図５】
0003894684.tif 000006
【図６】
0003894684.tif 000007
【図７】
0003894684.tif 000008
【図８】
0003894684.tif 000009
【図９】
0003894684.tif 000010
【図１０】
0003894684.tif 000011
【図１１】
0003894684.tif 000012
【図１２】
0003894684.tif 000013
【図１３】
0003894684.tif 000014
【図１４】
0003894684.tif 000015
【図１５】
0003894684.tif 000016